(57)【要約】【課題】一対のカバー部材からなるカバー装置の嵌合面が確実に密着可能な構造を有するカバー装置を提供する。【解決手段】このカバー装置は、開口部を有する第１カバー１と、上記開口部をを覆う第２のカバー２とを有してなり、上記第１のカバー１と第２のカバー２とは、ガタのある状態で嵌合する外周面１ｃと、内周面２ｃとを有しており、ねじ部材３を第２のカバー２のボス部２ｅに貫通させ、第１のカバー１のボス部１ｅに螺着締結することによって第１，２カバーが結合される。上記ボス部１ｅ，２ｅの端部は、斜面形状になっており、ねじ部材３の締結によってボス部１ｅ，２ｅが相対微小移動して外周面１ｃと内周面２ｃとが密着する。したがって、上記結合状態では、第２カバー２が側方に軋んで移動することがなく、嵌合部の良好な防滴，遮光状態が得られる。【選択図】　　図６
2004100868.tif 000002
【特許請求の範囲】
【請求項１】
一対のカバー部材を有するカバー装置において、
ねじ部材と、
上記一対のカバー部材の一方を形成し、開口部と、上記開口部周囲にある内周面、若しくは、外周面と、上記開口部内側に設けられ、斜面で形成される端部を有し、ねじ部材がねじ込まれるねじ用ボス部とを有する第１のカバー部材と、
上記一対のカバー部材の他方を形成し、上記第１のカバー部材の上記開口部を覆う部材であって、上記内周面若しくは外周面に対向する外周面、若しくは、内周面と、上記ねじ用ボス部と対向し、端部に上記斜面に対向し、当接可能な斜面および上記ねじ部材が貫通する貫通穴を備えたボス部とを有する第２のカバー部材と、
を有し、上記ねじ部材が上記ねじ用ボス部にねじ込まれ、締結されると、上記内周面と上記外周面とが密着するように構成されたことを特徴とするカバー装置。
【請求項２】
上記ねじ用ボス部および上記ボス部と、上記内周面、若しくは、外周面との間にはリブが連設されていることを特徴とする請求項１記載のカバー装置。
【請求項３】
上記ねじ用ボス部、および、上記ボス部の端部の斜面は、上記ねじ部材により上記第１のカバー部材と上記第２のカバー部材を結合したとき、上記第１のカバー部材の上記内周面、若しくは、外周面と、上記第２のカバー部材の上記外周面、若しくは、内周面が密着する方向に相対的に移動するような方向に傾斜していることを特徴とする請求項１、または、２記載のカバー装置。
【発明の詳細な説明】
【０００１】
【発明の属する技術分野】
本発明は、特定空間を形成するための一対のカバー部材からなるカバー装置の構造に関する。
【０００２】
【従来の技術】
従来、民生用機器の外観ケースであるカバー装置の構造の一例として、例えば、特開平７−２０５４９号公報に提案されたカメラのカバー装置である外装ユニットは、前方側のカバーユニットと後方側の後蓋とで構成されている。上記カバーユニットと後蓋とは、周囲をビスで締結して一体化されるが、その接合面は、平面で形成されている。したがって、上記カバーユニットと後蓋との外周部に僅かなずれが生じる可能があった。また、平面の接合状態であるので機密性が必ずしも良好であるとはいえない。そこで、上記ずれの防止や機密性の向上のためには、外周に沿って嵌合部を設けた結合構造（印籠式嵌合構造）が従来から採用されていた。
【０００３】
【発明が解決しようとする課題】
しかし、上述した従来の外周に沿う嵌合部をもつ結合構造を適用したカバー装置においては、上記嵌合部に僅かな嵌合ガタが有る場合、ビスで締結した状態であってもカバーに外力を加えると上記嵌合ガタ分だけずれて外周部分に僅かな段差が生じたり、あるいは、ずれるときに軋み音を発生することがあった。また、そのずれにより嵌合部に僅かな隙間が発生する可能性もあり、防滴性や遮光性を必要とする機器に対しては問題となっていた。
【０００４】
本発明は、上述の不具合を解決するためになされたものであり、一対のカバー部材からなるカバー装置の嵌合面が確実に密着可能な構造を有するカバー装置を提供することを目的とする。
【０００５】
【課題を解決するための手段】
本発明の請求項１記載のカバー装置は、一対のカバー部材を有するカバー装置において、ねじ部材と、上記一対のカバー部材の一方を形成し、開口部と、上記開口部周囲にある内周面、若しくは、外周面と、上記開口部内側に設けられ、斜面で形成される端部を有し、ねじ部材がねじ込まれるねじ用ボス部とを有する第１のカバー部材と、上記一対のカバー部材の他方を形成し、上記第１のカバー部材の上記開口部を覆う部材であって、上記内周面若しくは外周面に対向する外周面、若しくは、内周面と、上記ねじ用ボス部と対向し、端部に上記斜面に対向し、当接可能な斜面および上記ねじ部材が貫通する貫通穴を備えたボス部とを有する第２のカバー部材と、を有し、上記ねじ部材が上記ねじ用ボス部にねじ込まれ、締結されると、上記内周面と上記外周面とが密着する。
【０００６】
本発明の請求項２記載のカバー装置は、請求項１記載のカバー装置において、上記ねじ用ボス部および上記ボス部と、上記内周面、若しくは、外周面との間にはリブが連設されている。
【０００７】
本発明の請求項３記載のカバー装置は、請求項１、または、２記載のカバー装置において、上記ねじ用ボス部、および、上記ボス部の端部の斜面は、上記ねじ部材により上記第１のカバー部材と上記第２のカバー部材を結合したとき、上記第１のカバー部材の上記内周面、若しくは、外周面と、上記第２のカバー部材の上記外周面、若しくは、内周面が密着する方向に相対的に移動するような方向に傾斜している。
【０００８】
【発明の実施の形態】
以下、本発明の実施の形態を図に基づいて説明する。
図１は、本発明の第１の実施形態であるカバー装置の分解斜視図である。図２は、図１における上記カバー装置の第１ケースを示すＡ矢視図である。図３は、図１における上記カバー装置の第２ケースを示すＢ矢視図である。図４は、図１における上記カバー装置の第２ケースを示すＣ矢視図である。図５は、図１における上記カバー装置の組み立て状態を示すＣ矢視図である。図６は、上記カバー装置の組み立て結合状態における図５のＦ−Ｆ，Ｆ′−Ｆ′断面図であり、図４上では第２ケースのＥ−Ｅ断面部分を示す。
【０００９】
本実施形態のカバー装置は、図１に示すように例えば、合成樹脂同士、金属と合成樹脂、または、金属同士からなる特定空間を形成するための一対のカバー部材として、その一方の第１のカバー部材である第１カバー１と、その他方の第２のカバー部材である第２カバー２とを有してなる。このカバー装置は、例えば、カメラの外装カバーなどの小型機器における各構成部材を収納するための外装カバーとして適用される。
【００１０】
上記第１カバー１は、図２，６等に示すように開口部１ａを有する直方体箱形状を有するカバー部材である。開口部１ａの周辺に沿って外周面１ｃを有する段付き凸状壁部１ｂが設けられ、さらに、上記凸状壁部１ｂの上下左右、さらに、内周隅部の内周辺にそれぞれ第１のボス部を形成する４本のねじ用ボス部１ｅ、および、４本のねじ用ボス部１ｉとが配置されている。
【００１１】
上記ねじ用ボス１ｅ，１ｉと凸状壁部１ｂの内周面１ｄとの間には、それぞれリブ１ｆ，１ｊが連設され、一体化されている。そして、上記ねじ用ボス１ｅ，１ｉには、カバー締結用セルフタップねじ３が螺着可能なねじ下孔（ストレート孔）１ｈ，１ｍが設けられ、それぞれの端部には、第１カバー１の中心点Ｐ０　側に向けて（方向Ｄ１ａ〜Ｄ３ａ（図５）に向けて第１カバー底面に対して）低くなるように所定の角度傾斜した第１の傾斜面である傾斜面１ｇ，１ｋが形成されている。
【００１２】
上記第２カバー２は、図３，４，６等に示すように上記第１カバー１の開口部１ａを覆う蓋部２ａを有する平板に近い直方体箱形状を有するカバー部材である。そして、第２カバー２には、蓋部２ａの周辺に内周面２ｃを有する段付き凸状壁部２ｂが設けられ、さらに、上記凸状壁部２ｂの上下左右の内周辺および内周隅部にそれぞれ第２のボス部を形成する４本のねじ貫通用ボス部２ｅと４本のねじ挿通用ボス部２ｉとが配置されている。上記内周面２ｃは、第１カバー１の外周面１ｃとガタのある状態、もしくは、ガタを感じさせない状態で嵌合可能とし、上記ボス部２ｅ，２ｉは、第１カバー１のねじ用ボス部１ｅ，１ｉと互いに対向する位置関係にある。
【００１３】
上記ボス２ｅ，２ｉと凸状壁部２ｂの内周面２ｄとの間には、それぞれリブ２ｆ，２ｊが連設され、一体化されている。そして、上記ボス２ｅ，２ｉには、セルフタップねじ３が挿通可能であって、第２カバー２の中心点Ｐ０　に向く方向Ｄ１　〜Ｄ３　の長孔であるねじ貫通孔２ｈ，２ｍが設けられる。また、上記ボス２ｅ，２ｉのそれぞれの端部には、第２カバー２の中心点Ｐ０　に向けて（方向Ｄ１ａ〜Ｄ３ａ（図５）に向けて第２カバー底面に対して）高くなるように所定の角度で傾斜する第２の傾斜面である傾斜面２ｇ，２ｋが形成されている。なお、この傾斜面２ｇ，２ｋは、それぞれ上記第１カバー１のねじ用ボス部の傾斜面１ｇ，１ｋと合わせた状態で合致する同一傾斜角を有している。なお、上記ねじ貫通孔２ｈ，２ｍの外面側には、セルフタップねじ３の頭部が挿入可能な凹部２ｐ，２ｑが設けられる。
【００１４】
上述の構成を有する本実施形態のカバー装置を組み立て結合する場合は、第１カバー１内に図示しない機器の構成要素を組み込み後、第１カバー１に第２カバー２を被せて第１カバー１の外周面１ｃと第２カバー２の内周面２ｃとを嵌合させて組み合わせる。そして、８本のセルフタップねじ３をねじ貫通孔２ｈ，２ｍに貫通させて、ねじ用ボス部１ｅ，１ｉのねじ下孔１ｈ，１ｍにねじ込み、第１カバー１と第２カバー２とを締結し、結合状態とする。
【００１５】
上記第１カバー１と第２カバー２との締結結合状態においては、図６に示すようにセルフタップねじ３のねじ込みによってねじ用ボス１ｅ，１ｉの傾斜面１ｇ，１ｋとボス２ｅ，２ｉの傾斜面２ｇ，２ｋが強く当接する。その当接力によって第１，２カバー１，２が僅かに弾性変形し、上記傾斜面２ｇ，２ｋが傾斜方向に僅かに滑り、ボス２ｅ，２ｉがＤ１ａ〜Ｄ３ａ方向に、ねじ用ボス１ｅ，１ｉがその逆方向に相対的に微少移動する。そして、リブ２ｆ，２ｊとリブ１ｆ，１ｊを介して内周面２ｃと外周面１ｃが互いに当接する方向に微少移動し、全周にわたって密着する状態となる。したがって、上記カバー締結結合状態では、第２カバー２に側方向の外力を加えても第２カバー２が側方向にずれて軋むことがない。また、内周面２ｃと外周面１ｃとの間は、良好な防滴状態、かつ、遮光状態に保たれる。
【００１６】
上述したように本実施形態のカバー装置によると、第１カバー１と第２カバーの嵌合部である外周面１ｃと内周面２ｃとが組み立て前にたとえガタのある状態であっても締結結合後の状態では、上記嵌合部が確実に密着し、第２カバー２が軋み移動することもなく、かつ、良好な密閉状態、防滴状態、および、遮光状態が得られる。
【００１７】
なお、上記第１の実施形態のカバー装置の嵌合部の変形例として、上記嵌合部にゴムパッキンを狭持する構造を提案することができる。すなわち、この変形例のカバー装置は、図７の嵌合部まわりの断面図に示すように第１カバー１の外周面１ｃ、または、第２カバー２の内周面２ｃに環状ゴムパッキン４を装着し、上記ゴムパッキン４を挟んで外周面１ｃと内周面２ｃとを嵌合させる構造とする。他の構造は、前記第１の実施形態の場合と同様とする。
【００１８】
本変形例のカバー装置においては、第１，２カバー１，２の嵌合部を嵌め込み、セルフタップねじ３をねじ用ボス１ｅ，１ｉにねじ込むことによって前記第１の実施形態の場合と同様に傾斜面１ｇと傾斜面２ｇで滑りが発生し、上記外周面１ｃと内周面２ｃの間の環状ゴムパッキン４が圧縮されて第１，２カバー１，２が締結結合される。したがって、内周面２ｃと、外周面１ｃとの間のより良好な防滴，遮光状態が得られる。
【００１９】
次に、本発明の第２の実施形態のカバー装置について、図８を用いて説明する。
図８は、本実施形態のカバー装置における第１，第２カバーの組み立て結合状態における嵌合部まわりの断面図である。
【００２０】
本実施形態のカバー装置は、前記第１の実施形態のカバー装置と同様に図８に示すように特定空間を形成するための一対のカバー部材として、開口部を有する第１のカバー部材である第１カバー１１と、上記開口部を覆う第２のカバー部材である第２カバー１２とを有してなるが、前記第１の実施形態のカバー装置に対して異なる部分として、第１，２カバー１１，１２の嵌合部がそれぞれ内周面１１ｃと外周面１２ｃとで形成され、それに応じて第１，２カバー１１，１２のねじ用ボス部１１ｅと、ねじ貫通用ボス部１２ｅの結合面端部における傾斜面１１ｇ，１２ｇの傾き方向が異なっている。
【００２１】
すなわち、ねじ用ボス部１１ｅの傾斜面１１ｇは、第１カバー１１の中心に向けて高くなる方向（第１カバー底面に対して）に傾斜しており、ねじ貫通用ボス部１２ｅの傾斜面１２ｇは、第２カバー１２の中心に向けて低くなる方向（第２カバー底面に対して）に傾斜している。そして、第１，２カバー１１，１２のそれぞれ嵌合部である内周面１１ｃ，外周面１２ｃの周辺の内壁部に対して上記ねじ用ボス部１１ｅ，ねじ貫通用ボス部１２ｅは、リブ１１ｆ，１２ｆにより一体的に連接されている。
【００２２】
上述した構成を有する本実施形態のカバー装置を組み立て結合する場合も第１カバー１１内に図示しない機器の構成要素を組み込み後、第１カバー１１に第２カバー１２を被せ、第１カバー１１の内周面１１ｃに第２カバー１２の外周面１２ｃを嵌合させて組み合わせる。そして、８本のセルフタップねじ１３をねじ貫通孔１２ｈに貫通させて、ねじ用ボス部１１ｅのねじ下孔１１ｈにねじ込み、第１カバー１１と第２カバー１２とを締結結合し、密閉状態とする。
【００２３】
上記第１カバー１１と第２カバー１２との締結結合状態においては、図８に示すようにセルフタップねじ１３のねじ込みによってねじ用ボス１１ｅの傾斜面１１ｇとボス１２ｅの傾斜面１２ｇが強く当接する。その当接力によって第１，２カバー１１，１２が僅かに弾性変形して上記傾斜面１１ｇ，１２ｇが傾斜方向に僅かに滑り、ねじ用ボス１１ｅがカバー中心方向に、ボス１２ｅが逆の外方向に相対的に微少移動する。そして、リブ１１ｆとリブ１２ｆを介して内周面１１ｃと外周面１２ｃが互いに当接する方向に微少移動して、全周にわたって密着する状態となる。したがって、上記カバー締結結合状態では、第２カバー１２に側方向の外力を加えても第２カバー１２が側方向にずれて軋むことがなく、また、内周面１１ｃと外周面１２ｃとの間は、良好な防滴状態、かつ、遮光状態に保たれる。
【００２４】
本実施形態のカバー装置においても前記第１の実施形態のカバー装置と同様な効果が得られる。
【００２５】
なお、従来のカバー装置のように嵌合部のガタをなくし、あるいは、圧入嵌合とする結合構造では、カバー部材の成形金型の調整が面倒であり、さらに、部品の歩留まりも悪く、コスト高は、避けられなかったが、上述した本発明のカバー装置によれば、これらの点も改善できる。
【００２６】
【発明の効果】
上述したように本発明によれば、一対のカバー部材からなるカバー装置において、その嵌合部にガタがあるとしても、ねじの締結によって上記一対のカバー部材の嵌合面を確実に密着させることができる。
【図面の簡単な説明】
【図１】本発明の第１の実施形態であるカバー装置の分解斜視図である。
【図２】上記図１のカバー装置を構成する第１カバーの図１におけるＡ矢視図である。
【図３】上記図１のカバー装置を構成する第２カバーの図１におけるＢ矢視図である。
【図４】上記図１のカバー装置を構成する第２カバーの図１におけるＣ矢視図である。
【図５】上記図１のカバー装置の組み立て状態での図１におけるＣ矢視図である。
【図６】図１のカバー装置の嵌合部まわりの図５のＦ−Ｆ，Ｆ′−Ｆ′断面図である。
【図７】上記図１の第１の実施形態のカバー装置の変形例の組み立て結合状態における嵌合部まわりの断面図である。
【図８】本発明の第２の実施形態のカバー装置の組み立て結合状態における嵌合部まわりの断面図である。
【符号の説明】
１，１１…第１カバー（第１のカバー部材，一対のカバー部材）
１ａ…（開口部）
１ｃ，１２ｃ…外周面（カバー部材の外周面）
１ｅ，１ｉ，１１ｅ…ねじ用ボス部
１ｇ，１ｋ，１１ｇ…傾斜面（ねじ用ボス部の端部の斜面）
２，１２…第２カバー（第２のカバー部材，一対のカバー部材）
２ｃ，１１ｃ…内周面（カバー部材の内周面）
２ｅ，２ｉ，１２ｅ…ボス部
２ｇ，２ｋ，１２ｇ…傾斜面（ボス部の端部の斜面）
２ｈ，２ｍ，１２ｈ…貫通穴
３　…セルフタップねじ（ねじ部材）
【図１】
2004100868.tif 000003
【図２】
2004100868.tif 000004
【図３】
2004100868.tif 000005
【図４】
2004100868.tif 000006
【図５】
2004100868.tif 000007
【図６】
2004100868.tif 000008
【図７】
2004100868.tif 000009
【図８】
2004100868.tif 000010